(57)【要約】【課題】  タブ原稿などの片面原稿が含まれた片面・両面混在の原稿と同一構成の複写物を、専用のセンサを用いることなく、また、束分割読み取りなどによって生産性を低下させることなく効率的に得る。【解決手段】  操作入力手段でインターシートモードとしての指定がなされ、且つ、前記挿入用紙のトレイとして指定されたトレイにセットされた挿入用紙が両面画像形成不可の場合に、挿入用紙に相当する頁の原稿では片面読み込み、他の頁の原稿では両面読み込みを行うように画像読み取り手段を制御すると共に、読み取りにより得られた画像データに応じて、挿入用紙に相当する頁では挿入用紙のトレイからの給紙を行って片面画像形成、他の頁では記録用紙を給紙して両面画像形成を行うように画像形成手段を制御する。【選択図】  図１
2006033169.tif 000002
【特許請求の範囲】
【請求項１】
原稿の表面と裏面とが読み取り位置を通過するように原稿を反転搬送する機能を有する原稿搬送手段と、
搬送される前記原稿に読み取り光を照射し、前記原稿からの反射光を受けて画像を読み取って画像データを生成する機能を有する画像読み取り手段と、
複数のトレイのいずれかに収納された記録用紙を選択的に給紙して、該記録用紙の両面に前記画像データに応じた画像を形成する機能を有する画像形成手段と、
画像形成に使用される記録用紙とは異なる挿入用紙のトレイと該挿入用紙の挿入頁位置との指定をインターシートモードとして受け付ける機能を有する操作入力手段と、
前記画像読み取り手段での画像読み取りと前記画像形成手段での画像形成とを制御する制御手段とを備え、
前記制御手段は、前記操作入力手段でインターシートモードとしての指定がなされ、且つ、前記挿入用紙のトレイとして指定されたトレイにセットされた挿入用紙が両面画像形成不可の場合に、挿入用紙に相当する頁の原稿では片面読み込み、他の頁の原稿では両面読み込みを行うように前記画像読み取り手段を制御すると共に、読み取りにより得られた画像データに応じて、挿入用紙に相当する頁では前記挿入用紙のトレイからの給紙を行って片面画像形成、他の頁では記録用紙を給紙して両面画像形成を行うように前記画像形成手段を制御する、
ことを特徴とする画像形成装置。
【請求項２】
前記操作入力手段で指定されたインターシートモードにおける挿入用紙がタブ紙であり、
前記制御手段は、該タブ紙のタブの部分に関して、前記画像読み取り手段で読み取る領域を延長する、
ことを特徴とする請求項１記載の画像形成装置。
【請求項３】
原稿の表面と裏面とが読み取り位置を通過するように原稿を反転搬送する機能を有する原稿搬送手段と、搬送される前記原稿に読み取り光を照射し、前記原稿からの反射光を受けて画像を読み取って画像データを生成する機能を有する画像読み取り手段と、複数のトレイのいずれかに収納された記録用紙を選択的に給紙して、該記録用紙の両面に前記画像データに応じた画像を形成する機能を有する画像形成手段と、画像形成に使用される記録用紙とは異なる挿入用紙のトレイと該挿入用紙の挿入頁位置との指定をインターシートモードとして受け付ける機能を有する操作入力手段と、前記画像読み取り手段での画像読み取りと前記画像形成手段での画像形成とを制御する制御手段とを備えた画像形成装置を制御する画像形成装置制御方法であって、
前記操作入力手段でインターシートモードとしての指定がなされ、且つ、前記挿入用紙のトレイとして指定されたトレイにセットされた挿入用紙が両面画像形成不可の場合に、挿入用紙に相当する頁の原稿では片面読み込み、他の頁の原稿では両面読み込みを行うように前記画像読み取り手段を制御すると共に、読み取りにより得られた画像データに応じて、挿入用紙に相当する頁では前記挿入用紙のトレイからの給紙を行って片面画像形成、他の頁では記録用紙を給紙して両面画像形成を行うように前記画像形成手段を制御する、
ことを特徴とする画像形成装置制御方法。
【発明の詳細な説明】
【技術分野】
【０００１】
本発明は、原稿を搬送しつつ両面の画像を読み取って画像データを生成し、この画像データに応じて記録用紙の両面に画像データを生成する機能を有する画像形成装置及び画像形成装置制御方法に関する。
【背景技術】
【０００２】
原稿を搬送しつつ両面の画像を読み取って画像データを生成し、該画像データに応じて記録用紙の両面に画像形成を行う複写機などの画像形成装置が存在している。
この種の画像形成装置の画像読み取り部（スキャナ）では、主走査方向に複数画素の固体撮像素子などの読み取り素子を有しており、原稿を読み取り素子に対して副走査方向に移動させることで、主走査方向および副走査方向の二次元の読み取りを実行している。なお、このように原稿を搬送しつつ読み取りを行うタイプを、「静止露光流し込みタイプ」あるいは「シートスルータイプ」などと呼ぶが、本願明細書において「シートスルータイプ」と呼ぶことにする。
【０００３】
このシートスルータイプの画像読み取り部を備えた画像形成装置では、光学ミラーや照明ランプを固定した状態で原稿の画像を読み取ることが可能になっているため、複数の原稿を連続して読み取るのに適している。
【０００４】
なお、この種の画像読み取り部では原稿を反転させて両面の画像を読み込むことが可能であり、また、この種の画像形成装置では記録用紙を反転させて両面に画像を形成することが可能に構成されている。
【０００５】
そして、この種のスキャナや画像形成装置では、操作表示部からの設定により、片面原稿や両面原稿を取り扱うことが可能である。なお、この種の技術は以下の特許文献１〜特許文献３に記載されている。
【特許文献１】特開２００２−２２３３３６号公報（第１頁、図１）
【特許文献２】特開２００２−３５９７２０号公報（第１頁、図１）
【特許文献３】特開平９−２５８６１５号公報（第１頁、図１）
【発明の開示】
【発明が解決しようとする課題】
【０００６】
以上の特許文献１記載の技術では、読み取られた画像データに対して、出力についてページ単位で片面・両面の指定を可能にし、指定された情報に応じて、片面・両面混在の画像形成出力を行うものである。しかし、画像読み取りに関しては触れられておらず、片面・両面混在の原稿の読み取りは配慮されていない。したがって、効率の良い読み取りを行うことが出来ない問題がある。
【０００７】
また、特許文献２記載の技術では、インデックス紙を挿入するインターシートモードが指定され、通常原稿とタブ紙原稿とが混在する場合には、読み込みの際のカウント値を記憶しておき、このカウント値に従って画像形成の給紙を切り替えるようにしている。このようにカウント値を記憶しておくことから、通常原稿とタブ紙原稿とを、複数回に分けて読み込むことが前提となっていると考えられる。
【０００８】
さらに、特許文献３記載の技術では、タブ原稿検出センサを有しており、タブ原稿と判断された場合には、タブ付き記録用紙を給紙するものである。これは、単にタブ紙原稿を検知したらタブ紙記録用紙に記録するものであるが、この場合には、専用のタブ検知センサが必要になる。
【０００９】
なお、実際の画像形成装置においては、通常の原稿・記録用紙では両面読み取り・両面画像形成が可能であるとしても、タブ紙の場合にはタブの突起部分の関係で片面読み取り・片面画像形成となる。
【００１０】
この結果、既存の画像形成装置において、インターシートモードとしてタブ紙原稿が含まれる原稿の両面複写を行う場合、タブ紙原稿がＮ枚存在していると、タブ紙原稿は連続しないことから、２Ｎ＋１束に分割して、通常原稿とタブ紙原稿とを交互に読み取らせることが可能である。しかし、この方式では、一括した一部としての読み取りではないため、生産性が犠牲になり、効率が悪いという問題が存在していた。
【００１１】
本発明は、以上のような課題を解決するためになされたものであって、タブ原稿などの片面原稿が含まれた片面・両面混在の原稿と同一構成の複写物を、専用のセンサを用いることなく、また、束分割読み取りなどによって生産性を低下させることなく効率的に得ることが可能な画像形成装置を提供することを目的とする。
【課題を解決するための手段】
【００１２】
以上の課題を解決する本発明は、以下に記載するようなものである。
この発明は、原稿の表面と裏面とが読み取り位置を通過するように原稿を反転搬送する機能を有する原稿搬送手段と、搬送される前記原稿に読み取り光を照射し、前記原稿からの反射光を受けて画像を読み取って画像データを生成する機能を有する画像読み取り手段と、複数のトレイのいずれかに収納された記録用紙を選択的に給紙して、該記録用紙の両面に前記画像データに応じた画像を形成する機能を有する画像形成手段と、画像形成に使用される記録用紙とは異なる挿入用紙のトレイと該挿入用紙の挿入頁位置との指定をインターシートモードとして受け付ける機能を有する操作入力手段と、前記画像読み取り手段での画像読み取りと前記画像形成手段での画像形成とを制御する制御手段とを備えた画像形成装置を制御する際に、前記操作入力手段でインターシートモードとしての指定がなされ、且つ、前記挿入用紙のトレイとして指定されたトレイにセットされた挿入用紙が両面画像形成不可の場合に、挿入用紙に相当する頁の原稿では片面読み込み、他の頁の原稿では両面読み込みを行うように前記画像読み取り手段を制御すると共に、読み取りにより得られた画像データに応じて、挿入用紙に相当する頁では前記挿入用紙のトレイからの給紙を行って片面画像形成、他の頁では記録用紙を給紙して両面画像形成を行うように前記画像形成手段を制御する、ことを特徴とする。
【００１３】
なお、操作入力手段で指定されたインターシートモードにおける挿入用紙がタブ紙であり、該タブ紙のタブの部分に関して、前記画像読み取り手段で読み取る領域を延長するように制御する。
【００１４】
この発明では、操作入力手段でインターシートモードとして挿入用紙がタブ紙の指定がなされ、且つ、前記挿入用紙のトレイとして指定されたトレイにセットされた挿入用紙が両面画像形成不可の場合に、挿入用紙に相当する頁の原稿では片面読み込み、他の頁の原稿では両面読み込みを行うように画像読み取り手段を制御すると共に、読み取りにより得られた画像データに応じて、挿入用紙に相当する頁では挿入用紙（タブ紙）のトレイからの給紙を行って片面画像形成、他の頁では記録用紙を給紙して両面画像形成を行うように画像形成手段を制御する。
【発明の効果】
【００１５】
この発明では、操作入力手段でインターシートモードとして挿入用紙がタブ紙の指定がなされ、且つ、前記挿入用紙のトレイとして指定されたトレイにセットされた挿入用紙が両面画像形成不可の場合に、挿入用紙に相当する頁の原稿では片面読み込み、他の頁の原稿では両面読み込みを行うように画像読み取り手段を制御すると共に、読み取りにより得られた画像データに応じて、挿入用紙に相当する頁では挿入用紙（タブ紙）のトレイからの給紙を行って片面画像形成、他の頁では記録用紙を給紙して両面画像形成を行うように画像形成手段を制御するので、タブ原稿などの片面原稿が含まれた片面・両面混在の原稿と同一構成の複写物を、専用のセンサを用いることなく、また、束分割読み取りなどによって生産性を低下させることなく効率的に得ることが可能になる。
【発明を実施するための最良の形態】
【００１６】
以下、図面を参照して本発明を実施するための最良の形態（以下、実施形態）を詳細に説明する。
原稿読み取り手段（スキャナ）により複写対象物（原稿）の内容を画像情報として読み取って複写する機能を備えた画像形成装置（複写装置）が基本的な構成であるが、スキャナとコンピュータとプリンタとから構成される画像形成システムであっても本願発明の実施形態を適用することが可能である。
【００１７】
なお、この実施形態では、原稿を搬送しつつ画像を読み取って画像データを生成する機能を有する画像読み取り装置、すなわち、主走査方向に複数画素の固体撮像素子などの読み取り素子を有しており、原稿を読み取り素子に対して副走査方向に移動させることで、主走査方向および副走査方向の二次元の読み取り（シートスルータイプの読み取り）を実行する機能を有する画像読み取り装置または画像形成装置を対象としている。
【００１８】
〈画像形成装置の機械的構成〉
まず、図２を参照して画像形成装置の機械的構成を説明する。なお、ここでは、原稿の画像を読み取って画像形成する複写機を本実施形態の具体例として用いる。
【００１９】
この図２において、１０は原稿搬送手段（以下、原稿搬送部またはＡＤＦと言う）であり、原稿を搬送しつつ原稿の片面あるいは両面を読み取るための給紙を行う手段である。２０は原稿を光学的にスキャンして読み取って画像データを生成する画像読み取り部（スキャナ）である。４０は画像データに応じた露光用光ビームを生成する画像書き込み部である。５０は画像データを静電方式により記録媒体（転写紙あるいは記録用紙と言うが、本願明細書では、記録用紙という）ｐ上に記録する画像形成部である。６０は記録用紙の搬送を行う搬送手段である。
【００２０】
ここで、原稿の両面給送が可能なＡＤＦ１０の原稿載置部１１には、原稿第１頁の表面を上にした状態の原稿ｄが複数枚載置されている。ローラ１２ａ、ローラ１２ｂを介して繰り出された原稿の１枚目はローラ１３を介して回転される。
【００２１】
この時、光源２３により原稿ｄの原稿面が照射され、その反射光がミラー２４，２５，２６を介して結像光学系２７を介して光電変換手段であるＣＣＤ（読み取り素子）２８の受光面に像を結ぶ。ここで、光源２３、ミラー２４，２５，２６、結像光学系２７及びＣＣＤ２８を有する光学系、並びに、図示されていない光学系駆動手段とで画像読み取り部２０を構成している。ここで、光源２３は、主走査方向に長手方向を有する棒状のキセノンランプなどで構成された光源である。
【００２２】
この図２において、原稿ｄがプラテンガラス２１上に読み取り面を下に向けた状態に載置された場合には、光学系がプラテンガラス２１に沿って走査しつつ原稿の画像の読み取りを行う。
【００２３】
また、原稿ｄがＡＤＦ１０により自動給紙されてローラ１３の周囲を回る場合には、スリットガラス２２下に光源２３とミラー２４とが移動して、固定された状態で読み取りを行う。そして、読み取られた原稿ｄの画像データは、ＣＣＤ２８から図示しない読み取り画像処理部に送られる。
【００２４】
なお、原稿ｄがＡＤＦ１０により自動給送される場合には、原稿ｄの１ページ目が読み取られると、今度は反転ローラ１４を介して再度ローラ１３を用いた巻き取り操作が行われ、原稿裏面の画像が画像読み取り部２０で読み取られ、読み取り画像処理部に送られる。
【００２５】
このようにして、表面と裏面との画像が読み取られた原稿ｄは、再度反転ローラ１４で反転されて、表面を下に向けた状態で排紙皿１６に積載されていく。
このようにして画像読み取り部２０で読み取られた画像データは、読み取り処理部で所定の画像処理が行なわれた後、圧縮伸長回路で圧縮されて画像メモリに記憶される。
【００２６】
一方、記録用紙ｐが積載されている給紙トレイ３０ａ〜３０ｃのいずれかから、第一給紙ローラ３１ａ〜３１ｃにより記録用紙ｐが繰り出され、画像形成部５０に給送される。
画像形成部５０に給送される記録用紙ｐは、その入口付近の第二給紙ローラ（レジストローラ）３２で同期がとられた後、像担持体となる感光体ドラム５１に近接する。
【００２７】
書き込み処理部から画像書き込み部４０に画像データが入力され、画像書込み部４０内のレーザダイオードから画像データに応じたレーザ光を感光体ドラム５１上に照射し、静電潜像を形成する。この静電潜像を現像部５３で現像することで、感光体ドラム５１上にトナー像を形成する。
【００２８】
このトナー像は感光体ドラム５１の下部の転写部５４により記録用紙ｐに転写される。そして、感光体ドラム５１に圧着されている記録用紙ｐは分離部５５により分離される。感光体ドラム５１から分離された記録用紙ｐは搬送機構５８を介して定着部５９に入り、トナー像が熱と圧力とにより定着される。このようにして、記録用紙ｐに画像が形成される。
【００２９】
なお、必要に応じて、トナー像が定着された記録用紙ｐは、ガイド６１を介して下方に搬送され、反転部６３に入る。次に、反転部６３に入っている記録用紙ｐは、反転ローラ６２により再度繰り出され、反転搬送路６４を経由して再度画像形成部５０に送られる。前記原稿ｄの片面の画像形成が終了した画像形成部５０では、感光体ドラム５１に付着したトナーがクリーニング部５６で除去され、続く帯電部５２により帯電させられ、次の画像形成に備えている。
【００３０】
この状態で記録用紙ｐのもう一方の面（未だ画像形成されていない面）が画像形成部５０に搬入され、画像が形成される。分離部５５で感光体ドラム５１から分離された記録用紙ｐは搬送機構５８を介して再度定着部５９に入って定着される。このようにして、裏面と表面との画像形成が完了した記録用紙ｐ、または、一方の面の画像形成が完了した記録用紙ｐは排出される。
【００３１】
〈画像形成装置の電気的構成〉
図１は本発明の第１の実施形態の画像形成装置内の詳細構成を示すブロック図である。なお、この図１では、本実施形態の動作説明に必要な部分の周囲を中心に記載してあり、その他の画像形成装置として既知の部分については省略してある。
【００３２】
１００はネットワーク１を介してコンピュータから得た画像データあるいは内蔵するスキャナ（請求項における画像読み取り手段）で読み取って生成した画像データについて画像形成による出力を行う機能を有する画像形成装置である。
【００３３】
また、この画像形成装置１００は、原稿の表面と裏面とが読み取り位置を通過するように原稿を反転搬送する機能を有する。また、この画像形成装置１００は、搬送される前記原稿に読み取り光を照射し、前記原稿からの反射光を受けて画像を読み取って画像データを生成する機能を有する。また、この画像形成装置１００は、複数のトレイのいずれかに収納された記録用紙を選択的に給紙して、該記録用紙の両面に前記画像データに応じた画像を形成する機能を有する。
【００３４】
また、この画像形成装置１００において、１０１は各部を制御する制御手段としての制御部である。なお、この制御部１０１は、画像形成に使用される記録用紙とは異なる挿入用紙のトレイと該挿入用紙の挿入頁位置との指定をインターシートモードとして受け付ける機能を有する。また、この制御部１０１は、画像読み取りと画像形成とを制御する際に、インターシートモードとしての指定がなされ、且つ、前記挿入用紙のトレイとして指定されたトレイにセットされた挿入用紙が両面画像形成不可の場合に、挿入用紙に相当する頁の原稿では片面読み込み、他の頁の原稿では両面読み込みを行うように制御すると共に、読み取りにより得られた画像データに応じて、挿入用紙に相当する頁では挿入用紙のトレイからの給紙を行って片面画像形成、他の頁では記録用紙を給紙して両面画像形成を行うように制御する機能を有する。また、この制御部１０１は、指定されたインターシートモードにおける挿入用紙がタブ紙であれば、該タブ紙のタブの部分に関して、読み取る領域を延長する機能を有する。
【００３５】
１０２はネットワーク１を介した通信を行う通信手段としてのインタフェース（Ｉ／Ｆ）、１０３は装置の各種操作の入力がなされると共に各種表示を行う操作表示部である。この操作表示部１０３において、画像形成に使用される記録用紙とは異なる挿入用紙のトレイの指定と、該挿入用紙の挿入頁位置との指定とを、インターシートモードの指定と共に受け付ける機能を有する。なお、この操作表示部１０３は請求項における操作入力手段を構成している。
【００３６】
１０４は制御部１０１が画像形成装置１００を制御する際の制御プログラムが格納されているプログラムメモリ、１０５は画像形成装置１００の各種データや設定値を保持・蓄積しておくためのテーブルとしての不揮発性メモリである。
【００３７】
１０６は画像形成する際の展開された状態の画像データや、ジョブとして圧縮された状態の圧縮画像データが格納される画像メモリである。なお、この画像メモリ１０６は、必要に応じて、半導体メモリあるいはハードディスクなどで構成される。
【００３８】
１０７は画像読み取り時の画像処理（読み取り画像処理）を行うための読み取り処理部、１０８は画像形成時の画像処理（書き込み画像処理）を行うための書き込み処理部である。
【００３９】
１１０は原稿搬送手段としてのＡＤＦであり、図２の機械的構成おけるＡＤＦ１０に相当するものであり、原稿を搬送しつつ原稿の片面あるいは両面を読み取るための給紙を行う手段である。すなわち、このＡＤＦ１１０は、原稿の表面と裏面とが読み取り位置を通過するように原稿を反転搬送する機能を有する原稿搬送手段である。
【００４０】
１２０は原稿を光学的にスキャンして読み取って画像データを生成する画像読み取り部（スキャナ）であり、図２の機械的構成における画像読み取り部２０に該当するものであり、シートスルー型の読み取りの機能を有している。すなわち、この画像読み取り部１２０は、搬送される原稿に読み取り光を照射し、原稿からの反射光を受けて画像を読み取って画像データを生成する機能を有する画像読み取り手段である。
【００４１】
１８０は書き込み処理部１０８からの画像データを受けて記録用紙上に画像を形成して出力するプリント手段としてのプリントエンジンであり、図２の機械的構成における画像書き込み部４０、画像形成部５０、搬送手段６０などを含んで構成される。そして、このプリントエンジン１８０は、複数のトレイのいずれかに収納された記録用紙を選択的に給紙して、該記録用紙の両面に画像データに応じた画像を形成する機能を有している。
【００４２】
また、このネットワーク１に接続された画像形成装置１００は、複写機だけでなく、ファクシミリ装置、ディジタル複合機などの各種の装置が該当する。また、プリントエンジン１８０は、感光体とレーザビームとを用いる電子写真方式のもののほか、ＬＥＤプリントヘッドを用いるものや、インクジェット方式のものであってもよい。
【００４３】
〈第一の実施形態の動作状態〉
以下、本発明の第一の実施形態の画像形成装置の動作、画像形成装置制御方法の手順について、図３のフローチャートおよび図４の操作表示部１０３でのオペレータからの操作入力を参照して詳細な説明を行う。ここで、図４（ａ）は各種の基本的な設定を行うための基本画面、図４（ｂ）は応用機能の選択がなされる応用機能設定画面、図４（ｃ）は応用機能の一つであるインターシート（記録用紙中に挿入用紙を挿入する機能）モードにて挿入用紙のトレイと該挿入用紙の挿入頁位置の指定がなされるインターシートモード設定画面、を表す説明図である。
【００４４】
まず、図４（ａ）の基本画面の設定では、両面原稿について両面複写する設定がオペレータからなされ（図４（ａ）（１））、トレイ＃２のＡ４サイズの記録用紙がオペレータにより選択されている（図４（ａ）（２））とする（図３Ｓ１）。
【００４５】
ここで、両面原稿・両面複写でない場合（図３Ｓ２でＮＯ）、片面読み取りあるいは片面画像形成であるため、制御部１０１は片面処理などの別処理を実行する（図３Ｓ３）。なお、片面読み取りあるいは片面画像形成処理については、この実施形態での詳細な説明は省略する。
【００４６】
さらに、この基本画面の設定にて、応用機能の選択（図４（ａ）（３））がオペレータによりなされたとする。
なお、応用機能の選択がなされない場合（図３Ｓ４でＮＯ）は、制御部１０１は通常処理などの別処理を実行する（図３Ｓ３）。なお、通常処理についてはこの実施形態での詳細な説明は省略する。
【００４７】
基本画面にてオペレータから応用機能の選択（図４（ａ）（３））がなされると、制御部１０１は図４（ｂ）に示す応用機能設定画面を操作表示部１０３に表示する。この応用機能としては、インターシート、章分け、白黒反転、リピート、枠／折り目消し、全面画像、とじしろ、スタンプ／オーバーレイなどが存在している。この実施形態では、インターシート（図４（ｂ）（４））がオペレータにより選択され、「ＯＫ」が押下されたとする（図４（ｂ）（５）、図３Ｓ４でＹＥＳ）。
【００４８】
なお、インターシート以外の他の応用機能の選択がなされた場合（図３Ｓ４でＮＯ）は、制御部１０１はそれぞれの選択に応じた応用機能の別処理を実行する（図３Ｓ３）。なお、他の応用機能についてはこの実施形態での詳細な説明は省略する。
【００４９】
応用機能設定画面にてオペレータからインターシートの選択（図４（ｂ）（４）（５））がなされると、制御部１０１は図４（ｃ）に示す挿入モード設定画面を操作表示部１０３に表示する。この挿入モードでの選択や指定としては、コピー挿入／白紙挿入の選択、画像形成に使用される記録用紙とは異なる挿入用紙のトレイの指定、該挿入用紙の挿入頁位置の指定、などが存在している。
【００５０】
この実施形態では、コピー挿入（図４（ｃ）（６））がオペレータにより選択され（図３Ｓ５）、さらに、挿入頁の設定が選択された（図４（ｃ）（７））とすると、制御部１０１はテンキーなどからの挿入頁を挿入する頁の番号の入力を受け付ける。ここでは、挿入頁としては第３枚目目が選択された（図４（ｃ）（８））とする（図３Ｓ６）。
【００５１】
また、この実施形態では、挿入紙のトレイ変更が選択された（図４（ｃ）（９））とすると、制御部１０１は、トレイ選択画面（図示せず）を操作表示部１０３に表示し、挿入紙のトレイ変更を受け付ける。ここでは、挿入紙のトレイとしては、タブ紙（インデックス紙）がセットされている手差しトレイが選択された（図４（ｃ）（１０））とする（図３Ｓ７）。
【００５２】
ここで、以上の応用機能設定画面や挿入モード設定画面やインターシートモード設定画面での設定が完了すれば、オペレータより「ＯＫ」（図４（ｃ）（１１））が選択され（図３Ｓ８でＹＥＳ）、タブ原稿などの片面原稿が含まれた片面・両面混在の原稿と同一構成の複写物を得るための設定が完了し、制御部１０１は設定を不揮発性メモリ１０５などに保持する。
【００５３】
そして、制御部１０１は、以上の設定に基づいて、ＡＤＦ１１０と画像読み取り部１２０とに指示を与え、画像読み取りを開始させる（図３Ｓ９）。ここで、読み取られる原稿は、図５（ａ）に示すように、両面原稿＃１（１頁−２頁）、両面原稿＃２（３頁−４頁）、インターシート（タブ紙）、両面原稿＃３（５頁−６頁）、両面原稿＃４（７頁−８頁）、のようになっているとする。
【００５４】
ここで、制御部１０１は、上述した各画面（基本画面、応用機能設定画面、インターシートモード設定画面）での設定を参照し、読み取る原稿がインターシートであるかを判断している（図３Ｓ１０）。そして、以下のように通常原稿か、インターシートかに応じて異なる読み取りを、全原稿を読み取り終えるまで続ける（図３Ｓ１５）。
【００５５】
読み取る原稿がインターシートでなければ（図３Ｓ１０でＮＯ）、制御部１０１の制御により、ＡＤＦ１１０で搬送しつつ、画像読み取り部１２０にて原稿の表面を読み取り（図３Ｓ１１）、ＡＤＦ１１０で原稿を反転させる。続いて、ＡＤＦ１１０で同じ原稿を原稿を搬送しつつの裏面を読み取り（図３Ｓ１２）、反転して排紙する。ここでは、両面原稿＃１と両面原稿＃２との２枚の原稿をこのようにして読み取る（図５（ｂ）参照）。
【００５６】
そして、３枚目の原稿はインターシートであるので（図３Ｓ１０でＹＥＳ）、制御部１０１は、タブ紙のタブ部分に相当するだけ読み取り領域を延長する（図３Ｓ１３）。そして、制御部１０１の指示により、ＡＤＦ１１０で搬送しつつ、画像読み取り部１２０にてタブ紙の表面を読み取り（図３Ｓ１４）、ＡＤＦ１１０でそのまま排紙する（図５（ｂ）参照）。
【００５７】
そして、４〜５枚目の原稿はインターシートでないので（図３Ｓ１０でＮＯ）、制御部１０１の制御により、ＡＤＦ１１０で搬送しつつ、画像読み取り部１２０にて原稿の表面を読み取り（図３Ｓ１１）、ＡＤＦ１１０で原稿を反転させる。続いて、ＡＤＦ１１０で同じ原稿を原稿を搬送しつつの裏面を読み取り（図３Ｓ１２）、反転して排紙する（図５（ｂ）参照）。
【００５８】
なお、読み取り動作で得た画像データは、読み取り処理部１０７で読み取り時の画像処理を実行した後、制御部１０１の指示に基づいて、画像メモリ１０６にジョブ単位で格納される。
【００５９】
以上の読み取りでは、タブ原稿などの片面原稿が含まれた片面・両面混在の原稿について、専用のセンサを用いることなく、また、束分割読み取りなどによって生産性を低下させることなく、一括読み取りで効率的に読み取ることが可能になる。
【００６０】
そして、制御部１０１は、以上の画像読み取りの完了に応じて、書き込み処理部１０８とプリントエンジン１８０とに指示を与え、画像形成を開始させる（図３Ｓ１６）。なお、全ての原稿の読み取りが完了しなくても、少なくとも１枚目の両面原稿＃１の読み取りが完了した時点で、画像形成を開始することが可能である。
【００６１】
ここで、画像形成は、図５（ａ）に示した原稿（両面原稿＃１（１頁−２頁）、両面原稿＃２（３頁−４頁）、インターシート（タブ紙）、両面原稿＃３（５頁−６頁）、両面原稿＃４（７頁−８頁））と同一の構成の出力を得るように行う。
【００６２】
ここで、制御部１０１は、上述した各画面（基本画面、応用機能設定画面、インターシートモード設定画面）での設定を参照し、画像形成する記録用紙が挿入用紙であるかを判断している（図３Ｓ１７）。そして、以下のように通常の記録用紙か、挿入用紙かに応じて異なる画像形成を、全ての用紙に全ての画像データを画像形成し終わるまで続ける（図３Ｓ２２）。
【００６３】
画像形成すべき用紙が挿入用紙でなければ（図３Ｓ１７でＮＯ）、制御部１０１の制御により、通常の記録用紙の表面に画像形成をした後、反転搬送をして、記録用紙の裏面に画像形成を行い（図３Ｓ１８）、そのままの状態でストレート排紙する（図３Ｓ１９）。
【００６４】
ここでは、記録用紙＃１（１頁−２頁）と記録用紙＃２（３頁−４頁）との２枚の記録用紙について、このようにして両面画像形成を実行する（図５（ｃ）（ｄ）参照）。
そして、３枚目の記録用紙は挿入用紙であるので（図３Ｓ１７でＹＥＳ）、制御部１０１は、タブ紙のタブ部分に相当するだけ画像形成領域を延長し、指定されたトレイから給紙した挿入用紙の表面のみに画像形成（図３Ｓ２１）をした後、反転部６３で挿入用紙を反転させてから排紙する（図３Ｓ２１）。
【００６５】
そして、４〜５枚目の記録用紙は挿入用紙でないので（図３Ｓ１７でＮＯ）、制御部１０１の制御により、通常の記録用紙の表面に画像形成をした後、反転搬送をして、記録用紙の裏面に画像形成を行い（図３Ｓ１８）、そのままの状態でストレート排紙する（図３Ｓ１９）。
【００６６】
このようにして、通常の記録用紙か、挿入用紙かに応じて異なる画像形成を、全ての用紙に全ての画像データを画像形成し終わるまで続ける（図３Ｓ２２、図５（ｃ）（ｄ）参照）。
【００６７】
以上のように、この実施形態では、挿入モードとして挿入用紙がタブ紙の指定がなされ、且つ、前記挿入用紙のトレイとして指定されたトレイにセットされた挿入用紙が両面画像形成不可の場合に、挿入用紙に相当する頁の原稿では片面読み込み、他の頁の原稿では両面読み込みを行うように画像読み取り部１２０を制御すると共に、読み取りにより得られた画像データに応じて、挿入用紙に相当する頁では挿入用紙（タブ紙）のトレイからの給紙を行って片面画像形成、他の頁では記録用紙を給紙して両面画像形成を行うようにプリントエンジン１８０を制御する。この結果、タブ原稿などの片面原稿が含まれた片面・両面混在の原稿と同一構成の複写物を、専用のセンサを用いることなく、また、束分割読み取りなどによって生産性を低下させることなく一括読み取りによって効率的に得ることが可能になる。
【００６８】
図６は以上の実施形態の動作状態を、図５と同様の場合について詳細に示すタイムチャートである。ここでは、図５（ａ）に示した原稿（両面原稿＃１（１頁−２頁）、両面原稿＃２（３頁−４頁）、インターシート（タブ紙）、両面原稿＃３（５頁−６頁）、両面原稿＃４（７頁−８頁））と同一の構成の出力（複写物）を得るように行う具体例を示している。なお、この図６において「挿入ポインター」とは、次に画像読み取りされるインターシートが何枚目であるかを示すポインターである。
【００６９】
なお、このような動作を行う際に、画像形成装置内のシステムメモリと呼ばれるメモリ領域に、具体的には、図７のような構成のデータがジョブ毎に格納される。このデータは、ジョブの状態を示すジョブデータ、各頁の状態を示すページデータとに分かれている。
【００７０】
そして、ジョブデータとしては、設定部数、出力済み部数、コピーモード、インターシート有無、挿入モード、指定頁、記録用紙使用トレイ、挿入用紙トレイ、挿入ポインター、原稿枚数カウンタ、読み込み済み画像枚数、読み込み面、出力ページ、などの項目が存在しており、画像読み取りや画像形成の進行状況に応じて値が更新される。
【００７１】
ここで、コピーモードとしては、基本画面（図４（ａ））にて選択されたコピーモードがセットされる（片面→片面／片面→両面／両面→片面／両面→両面、など）。インターシート有無としては、応用機能設定画面（図４（ｂ））のインターシートが選択された場合に「有り」となる。
【００７２】
挿入モードとしては、コピー挿入又は白紙挿入が選択され、又、選択された挿入用紙トレイが片面のみの用紙かどうかで、以下のパターンでセットされる。この実施形態では挿入用紙トレイとして手差しが選択され、セットされている用紙がインデックス（タブ）紙で両面不可でコピー挿入が選択されている為、片面コピーがセットされる。
・コピーモードが片面→片面、又は、両面→片面の場合：片面コピー／片面白紙；
・コピーモードが片面→両面又は両面→両面の場合：
‥選択された挿入用紙トレイが片面のみ可能であれば、片面コピー／片面白紙；
‥選択された挿入用紙トレイが両面が可能であれば、両面コピー／両面白紙；
指定頁として、インターシート設定画面で指定された挿入頁位置がセットされる。この実施形態では、設定箇所は３０箇所で、小さい順にソーティングされ挿入頁１〜３０にセットされる。
【００７３】
挿入用紙トレイと同サイズの記録用紙が載置されるトレイが本文用トレイ（記録用紙トレイ）として自動選択される。この実施形態では、手差しトレイと同サイズで最も優先順位の高いトレイ＃２が選択されている。
【００７４】
挿入用紙トレイとしては、インターシート設定画面にて選択されたトレイがセットされる。この例では手差しトレイが選択されている。
挿入ポインターは、挿入するページが格納されている番号を示しており、コピー開始時「１」がセットされ、挿入ページが実行される毎にインクリメントされて＋１される。
【００７５】
原稿枚数カウンタは、両面原稿の表面SVV_ON、又は片面原稿のSVV_ONでカウントされる原稿枚数を示すカウンタである。なお、SVVとは、スキャン・バーチカル・バリッドであり、スキャン時の副走査方向有効領域を示している。
【００７６】
読み込み済み画像枚数は、 コピー開始時「１」がセットされ、SVV_OFFでインクリメントされて＋１される。すなわち、次に読み込まれる画像のページ番号を示しており、読み込まれた画像に関するデータは、この番号のページデータ領域に格納される。
【００７７】
読み込み面としては、両面表／両面裏／片面表のいずれかがセットされる。この実施形態ではコピーモードが両面→両面＋インターシートで指定ページ１のデータが「３」で最初の原稿は両面原稿と分かる為、コピー開始時「両面表」がセットされている。
【００７８】
出力ページとしては、次に出力する画像のページ番号を示しており、出力する画像に関するデータは、この番号のページデータ領域に格納されているデータを参照する。
また、ページデータとしては、各頁毎に、画像種類、画像メモリにおける画像格納アドレスが保持されている。ここで、画像種類としては、ジョブデータの「読み込み面」と同一の値（両面表／両面裏／片面表のいずれか）が格納される。この実施形態では参照する箇所は無いが、ADU多数枚循環の際に出力時参照することも可能である。画像格納アドレスとしては、各画像は圧縮された形で画像メモリ１０６内に格納されるが、その格納アドレスを示す。
【００７９】
図８は以上の図７のデータ構成におけるSVV_ON時の処理のフローチャートである。ここで、SVV_ON時とは、画像読み取り時に原稿を読み取りつつあり、スキャン・バーチカル・バリッドが有効である、すなわち、読み取り領域を処理しつつつあることを意味している。
【００８０】
まず、制御部１０１は、挿入モードが片面のコピー挿入であるかを判別する（図８Ｓ１）。片面のコピー挿入以外であれば（図８Ｓ１でＮＯ）、本実施形態とは別の処理である（図８Ｓ２）ため、説明を省略する。
【００８１】
挿入モードが片面のコピー挿入であれば（図８Ｓ１でＹＥＳ）、制御部１０１は、読み込み面が両面原稿の表面であるか、あるいは、片面原稿の表面であるかについて判別する（図８Ｓ３）。
【００８２】
読み込み面が両面原稿の表面でなく、あるいは、片面原稿の表面でもなければ、制御部１０１は、このSVV_ON処理を終了する。一方、読み込み面が両面原稿の表面であるか、あるいは、片面原稿の表面であれば、制御部１０１は、ジョブデータ内の「原稿枚数カウンタ」をインクリメントする（図８Ｓ４）。
【００８３】
さらに、この原稿枚数カウンタのインクリメントの後、制御部１０１は、挿入頁位置が原稿枚数カウンタと等しいかを判別する（図８Ｓ５）。
挿入頁位置が原稿枚数カウンタと等しければ（図８Ｓ５でＹＥＳ）、制御部１０１は、ＡＤＦ１１０に原稿読み取りモードを片面と通知すると共に、読み取り面を片面表とセットする（図８Ｓ６）。また、挿入ポインタをインクリメントしておく。この図８Ｓ５〜Ｓ６は、挿入頁のタブ紙の読み取りのための設定である。
【００８４】
挿入頁位置が原稿枚数カウンタと等しくなければ（図８Ｓ５でＮＯ）、制御部１０１は、原稿読み取りが片面にセットされているかを判別する（図８Ｓ７）。原稿読み取りが片面にセットされていれば（図８Ｓ７でＹＥＳ）、原稿読み取りを両面にセットする（図８Ｓ８）。さらに、制御部１０１は、ＡＤＦ１１０に原稿読み取りを両面と通知する（図８Ｓ９）。この図８Ｓ７〜Ｓ９の処理は、挿入頁位置の次頁の両面原稿のために両面にセットし直すための設定である。
【００８５】
以上の図８Ｓ６または図８Ｓ９が完了した時点で、制御部１０１は、SVV_ON時の処理を終了する。
図９は以上の図７のデータ構成におけるSVV_OFF時の処理のフローチャートである。ここで、SVV_OFF時とは、画像読み取り時の原稿と原稿との間のタイミングであり、スキャン・バーチカル・バリッド（画像読み取りの副走査方向有効期間）が無効である、すなわち、読み取り領域を処理し終えたタイミングあるいは次の処理直前のタイミングであることを意味している。
【００８６】
まず、制御部１０１は、挿入モードが片面のコピー挿入であるかを判別する（図９Ｓ１）。片面のコピー挿入以外であれば（図９Ｓ１でＮＯ）、本実施形態とは別の処理である（図９Ｓ２）ため、説明を省略する。
【００８７】
挿入モードが片面のコピー挿入であれば（図９Ｓ１でＹＥＳ）、制御部１０１は、ジョブデータ内の読み込み済み画像枚数をインクリメントする（図９Ｓ３）。この読み込み済み画像枚数は、 コピー開始時「１」がセットされ、SVV_OFFでインクリメントされて＋１される。すなわち、次に読み込まれる画像のページ番号を示している。
【００８８】
ここで制御部１０１は、原稿読み取りモードが両面になっているかを判別する（図９Ｓ４）。また、原稿読み取りモードが両面になっている場合（図９Ｓ４でＹＥＳ）、読み込み面が原稿の表面であるかについて判別する（図９Ｓ５）。
【００８９】
ここで、原稿読み取りモードが両面になっている場合（図９Ｓ４でＹＥＳ）で、読み込み面が原稿の表面である場合（図９Ｓ５でＹＥＳ）、原稿の表面を読み込んだ状態でSVV_OFFとなっているため、次の読み込みに備えて、制御部１０１は、読み込み面を両面裏とセットする（図９Ｓ６）。
【００９０】
また、ここで、原稿読み取りモードが両面になっていない場合（図９Ｓ４でＮＯ）は、インターシートを読み込んでからSVV_OFFとなっているため、次の画像形成について、画像形成を片面とセットし、トレイ情報として挿入用紙トレイ（ここでは手差しトレイ）をセットする（図９Ｓ７）。そして、制御部１０１は、この段階での挿入用紙の片面画像形成に備えて、給紙レディをセットする（図９Ｓ１０）。
【００９１】
また、ここで、原稿読み取りモードが両面になっている場合（図９Ｓ４でＹＥＳ）で、読み込み面が原稿の表面でない場合（図９Ｓ５でＮＯ）、制御部１０１は、次の読み込みに備えて、読み込み面を両面表とセットする（図９Ｓ８）。さらに、両面原稿の表と裏とを読み込んでからSVV_OFFとなっているため、制御部１０１は、画像形成を両面とセットし、トレイ情報として記録用紙トレイ（本文トレイとしてセットされたトレイ＃２）をセットする（図９Ｓ９）。そして、制御部１０１は、この段階での両面画像形成に備えて、給紙レディをセットする（図９Ｓ１０）。
【００９２】
そして、制御部１０１は、ジョブデータ内の「読み込み済み画像枚数」のページヘッダの「画像種類」に読み込み面と画像格納アドレスとをセットする。また、読み取り処理部１０７に倍率等の共通処理をセットする（図９Ｓ１１）。すなわち、次に読み込む原稿に対しての準備を行う。
【００９３】
ここで、制御部１０１は、ジョブデータ内の出力ページの値を確認し、０であるかを判別する（図９Ｓ１２）。出力ページの値が０であれば（図９Ｓ１２でＹＥＳ）、制御部１０１は、後述するPVV_OFF処理を実行する（図９Ｓ１３）。
【００９４】
また、制御部１０１は、ジョブデータ内の出力ページの値が０でなければ（図９Ｓ１２でＮＯ）、このSVV_OFF処理を終了する。
図１０は以上の図７のデータ構成におけるPVV_OFF時の処理のフローチャートである。ここで、PVV_OFF時とは、画像形成実行時と次の画像形成実行時との間のタイミングであり、プリント・バーチカル・バリッド（画像形成の副走査方向有効期間）が無効である、すなわち、画像形成領域を処理し終えたタイミングあるいは次の画像形成処理直前のタイミングであることを意味している。
【００９５】
また、このPVV_OFF処理は、前述したSVV_OFF処理中で実行されるほか、画像形成実行後にコールされるサブルーチンである。
まず、制御部１０１は、ジョブデータ内の出力ページをインクリメントして＋１する（図１０Ｓ１）。この出力ページとは、次に出力する画像のページ番号を示している。なお、出力する画像に関するデータは、この番号に該当するページデータ領域（図７参照）に格納されているデータが参照される。
【００９６】
つぎに、制御部１０１は、画像メモリ１０６を制御するために制御部１０１内に備えられるＤＲＡＭ制御ＩＣ（図示せず）へ、伸長アドレス（出力ページのページヘッダに格納されている値）をセットする（図１０Ｓ２）。すなわち、次に画像形成する画像の画像データを出力する用意をしておく。
【００９７】
そして、制御部１０１は、書き込み処理部１０８に共通処理（プリントエンジン１８０におけるＬＤパスワード値等）をセットする（図１０Ｓ３）。すなわち、次に画像形成を実行する際の準備を行う。このようにして、制御部１０１は、次の画像形成のための準備としてのPVV_OFF処理を終了する。
【００９８】
以上のように、画像形成装置内のシステムメモリと呼ばれるメモリ領域に図７の構成のデータがジョブ毎に格納されており、図８のSVV_ON処理と図９のSVV_OFF処理と図１０のPVV_OFF処理とを実行することで、図６に示すように、挿入モードとして挿入用紙がタブ紙の指定がなされ、且つ、前記挿入用紙のトレイとして指定されたトレイにセットされた挿入用紙が両面画像形成不可の場合に、挿入用紙に相当する頁の原稿では片面読み込み、他の頁の原稿では両面読み込みを行うように画像読み取り部１２０を制御すると共に、読み取りにより得られた画像データに応じて、挿入用紙に相当する頁では挿入用紙（タブ紙）のトレイからの給紙を行って片面画像形成、他の頁では記録用紙を給紙して両面画像形成を行う。
【００９９】
この結果、タブ原稿などの片面原稿が含まれた片面・両面混在の原稿と同一構成の複写物を、専用のセンサを用いることなく、また、束分割読み取りなどによって生産性を低下させることなく一括読み取りによって効率的に得ることが可能になる。
【０１００】
なお、以上の実施形態の具体例では、説明を簡略化するために画像形成における循環枚数を１としていたが、循環枚数が複数であっても、タブ原稿などの片面原稿が含まれた片面・両面混在の原稿と同一構成の複写物を、専用のセンサを用いることなく、また、束分割読み取りなどによって生産性を低下させることなく一括読み取りによって効率的に得ることが可能である。
【図面の簡単な説明】
【０１０１】
【図１】本発明の実施形態の画像形成装置の電気的な構成を示す機能ブロック図である。
【図２】本発明の実施形態の画像形成装置の機械的な構成を示す構成図である。
【図３】本発明の実施形態の動作を示すフローチャートである。
【図４】本発明の実施形態の動作を実現する際の画面説明図である。
【図５】本発明の実施形態の動作を実現する際のタイムチャートである。
【図６】本発明の実施形態の動作を実現する際のタイムチャートである。
【図７】本発明の実施形態におけるデータ構成を示す説明図である。
【図８】本発明の実施形態の動作を示すフローチャートである。
【図９】本発明の実施形態の動作を示すフローチャートである。
【図１０】本発明の実施形態の動作を示すフローチャートである。
【符号の説明】
【０１０２】
１００  画像形成装置
１０１  制御部
１０２  インタフェース
１０３  操作表示部
１０４  プログラムメモリ
１０５  不揮発性メモリ
１０６  画像メモリ
１０７  読み取り処理部
１０８  書き込み処理部
１２０  画像読み取り部
１８０  プリントエンジン
【図１】
2006033169.tif 000003
【図２】
2006033169.tif 000004
【図３】
2006033169.tif 000005
【図６】
2006033169.tif 000006
【図７】
2006033169.tif 000007
【図８】
2006033169.tif 000008
【図９】
2006033169.tif 000009
【図１０】
2006033169.tif 000010
【図４】
2006033169.tif 000011
【図５】
2006033169.tif 000012